【手続補正書】
【提出日】令和3年4月7日(2021.4.7)
【手続補正１】
【補正対象書類名】特許請求の範囲
【補正対象項目名】全文
【補正方法】変更
【補正の内容】
【特許請求の範囲】
【請求項１】
ウェブサービスを提供するサーバ装置と、前記サーバ装置とネットワークを介して接続する第１のクライアント端末及び第２のクライアント端末を備えるコンテンツデータ処理システムにより実行される方法であって、
前記第１のクライアント端末に対する操作に応じて、第１のコンテンツを示す情報を生成することと、
前記第１のコンテンツに対し、ネットワーク上の固有の第１のアドレスを割り当てることと、
前記ウェブサービスを利用するユーザを特定するためのＩＤを用いた認証処理が行われていない匿名の前記第２のクライアント端末による前記固有の第１のアドレスへのアクセスを許可することと、
前記第２のクライアント端末に対する操作に応じて、前記固有の第１のアドレスが割り当てられた前記第１のコンテンツを編集することと、
編集された前記第１のコンテンツの情報を、前記第２のクライアント端末に対応する第２のコンテンツの情報として、ストレージへ記憶することと、
前記第２のコンテンツに対し、ネットワーク上の固有の第２のアドレスを生成することと、を含むコンテンツデータ処理方法。
【請求項２】
前記第２のクライアント端末に対する操作に応じて、前記第２のコンテンツの状態が、編集の完了を示す状態に設定されたら、その設定されたことを示す情報を、前記ストレージへ記憶することをさらに含む請求項１に記載のコンテンツデータ処理方法。
【請求項３】
前記第１のクライアント端末に対する操作に応じて、前記第２のコンテンツの提出状況を、ディスプレイへ表示すること、をさらに含み、
前記第２のコンテンツの提出状況は、
前記固有の第１のアドレス、
前記第２のクライアント端末に対応する前記第２のコンテンツのうち、設定されている状態が編集の完了を示している前記第２のコンテンツの数、及び、
設定されている状態が編集の完了を示している前記第２のコンテンツに対応する前記第２のクライアント端末に対して生成された固有の第２のアドレス、を含む、
請求項２に記載のコンテンツデータ処理方法。
【請求項４】
前記第１のクライアント端末に対する操作に応じて、前記固有の第２のアドレスが指定されたら、指定された前記固有の第２のアドレスに対応する前記第２のコンテンツの情報を、前記第１のクライアント端末のディスプレイに表示させること、をさらに含む、
請求項３に記載のコンテンツデータ処理方法。
【請求項５】
サーバ装置により実行されるウェブサービスの提供方法であって、
ネットワークを介して前記サーバ装置と通信可能に構成された第１のクライアント端末に対し、前記第１のクライアント端末の第１の制御手段により読み取り可能なプログラムを送信し、
ネットワークを介して前記サーバ装置と通信可能に構成された第２のクライアント端末に対し、前記第２のクライアント端末の第２の制御手段により読み取り可能なプログラムを送信し、
前記第１のクライアント端末に対する操作に応じて第１のコンテンツを示す情報が前記第１の制御手段により生成されたと判別したことに応じて、前記第１のコンテンツに対し、ネットワーク上の固有の第１のアドレスを割り当て、
前記ウェブサービスを利用するユーザを特定するためのＩＤを用いた認証処理が行われていない匿名の前記第２のクライアント端末による前記固有の第１のアドレスへのアクセスを許可し、
前記第２のクライアント端末に対する操作に応じて前記固有の第１のアドレスが割り当てられた前記第１のコンテンツが前記第２の制御手段により編集されたと判別したことに応じて、編集された前記第１のコンテンツを、前記第２のクライアント端末に対応する第２のコンテンツとして、当該第２のコンテンツの情報をストレージへ記憶し、
前記第２のコンテンツに対し、ネットワーク上の固有の第２のアドレスを生成する、
ことを含む、ウェブサービスの提供方法。
【請求項６】
前記第２のクライアント端末に対する操作に応じて前記第２の制御手段により前記第２のコンテンツの状態が編集の完了を示す状態に設定されたと判別したことに応じて、その設定されたことを示す情報を、ストレージへ記憶することをさらに含む、
請求項５に記載のウェブサービスの提供方法。
【請求項７】
前記第１のクライアント端末に対する操作に応じて前記第２のコンテンツの提出状況を前記第１のクライアント端末のディスプレイへ前記第１の制御手段により表示させる指示を受け付けたと判別したことに応じて、前記第２のコンテンツの提出状況の情報を、前記ストレージより読み出して、前記第１のクライアント端末に対して送信することを、さらに含み、
前記第２のコンテンツの提出状況は、
固有の第１のアドレス、
前記第２のクライアント端末に対応する第２のコンテンツのうち、設定されている状態が編集の完了を示している前記第２のコンテンツの数、及び、
設定されている状態が編集の完了を示している前記第２のコンテンツに対応する前記第２のクライアント端末に対して生成された固有の第２のアドレスを含む、
請求項６に記載のウェブサービスの提供方法。
【請求項８】
前記第１のクライアント端末に対する操作に応じて前記固有の第２のアドレスが指定されたと判別したことに応じて、指定された前記固有の第２のアドレスに対応する前記第２のコンテンツの情報を、前記ストレージより読み出して、前記第１のクライアント端末に対して送信することをさらに含む、
請求項７に記載のウェブサービスの提供方法。
【請求項９】
情報処理装置のプロセッサによって、
ネットワークを介して前記情報処理装置と通信可能に構成された第１のクライアント端末に対する操作に応じて第１のコンテンツを示す情報が生成されたと判別したことに応じて、前記第１のコンテンツに対し、ネットワーク上の固有の第１のアドレスを割り当てさせ、
ネットワークを介して前記情報処理装置と通信可能に構成された第２のクライアント端末であって、ユーザを特定するためのＩＤを用いた認証処理が行われていない匿名の前記第２のクライアント端末による前記固有の第１のアドレスへのアクセスを許可させ、
前記第２のクライアント端末に対する操作に応じて前記固有の第１のアドレスが割り当てられた前記第１のコンテンツが編集されたと判別したことに応じて、編集された前記第１のコンテンツを、前記第２のクライアント端末に対応する第２のコンテンツとして、当該第２のコンテンツの情報をストレージへ記憶させ、
前記第２のコンテンツに対し、ネットワーク上の固有の第２のアドレスを生成させる、
プログラム。
【請求項１０】
前記情報処理装置のプロセッサによって、
さらに、前記第２のクライアント端末に対する操作に応じて前記第２のコンテンツの状態が編集の完了を示す状態に設定されたと判別したことに応じて、その設定されたことを示す情報を、ストレージへ記憶させる、
請求項９に記載のプログラム。
【請求項１１】
前記情報処理装置のプロセッサによって、
さらに、前記第１のクライアント端末に対する操作に応じて前記第２のコンテンツの提出状況を前記第１のクライアント端末のディスプレイへ表示させる指示を受け付けたと判別したことに応じて、前記第２のコンテンツの提出状況の情報を、前記ストレージより読み出して、前記第１のクライアント端末に対して送信させ、
前記第２のコンテンツの提出状況は、
固有の第１のアドレス、
前記第２のクライアント端末に対応する第２のコンテンツのうち、設定されている状態が編集の完了を示している前記第２のコンテンツの数、及び、
設定されている状態が編集の完了を示している前記第２のコンテンツに対応する前記第２のクライアント端末に対して生成された固有の第２のアドレスを含む、
請求項１０に記載のプログラム。
【請求項１２】
前記情報処理装置のプロセッサによって、
さらに、前記第１のクライアント端末に対する操作に応じて前記固有の第２のアドレスが指定されたと判別したことに応じて、指定された前記固有の第２のアドレスに対応する前記第２のコンテンツの情報を、前記ストレージより読み出して、前記第１のクライアント端末に対して送信させる、
請求項１１に記載のプログラム。
【請求項１３】
ウェブサービスを提供するサーバ装置であって、
ネットワークを介して前記サーバ装置と通信可能に構成された第１のクライアント端末に対する操作に応じて第１のコンテンツを示す情報が生成されたと判別したことに応じて、前記第１のコンテンツに対し、ネットワーク上の固有の第１のアドレスを割り当て、
ネットワークを介して前記サーバ装置と通信可能に構成された第２のクライアント端末であって、前記ウェブサービスを利用するユーザを特定するためのＩＤを用いた認証処理が行われていない匿名の前記第２のクライアント端末による前記固有の第１のアドレスへのアクセスを許可し、
前記第２のクライアント端末に対する操作に応じて前記固有の第１のアドレスが割り当てられた前記第１のコンテンツが編集されたと判別したことに応じて、編集された前記第１のコンテンツを、前記第２のクライアント端末に対応する第２のコンテンツとして、当該第２のコンテンツの情報をストレージへ記憶し、
前記第２のコンテンツに対し、ネットワーク上の固有の第２のアドレスを生成する、サーバ装置。
【請求項１４】
ウェブサービスを提供するサーバ装置と、前記サーバ装置とネットワークを介して接続する第１のクライアント端末及び第２のクライアント端末を備えるコンテンツデータ処理システムであって、
前記サーバ装置は、
前記第１のクライアント端末に対する操作に応じて、第１のコンテンツを示す情報を生成し、
前記第１のコンテンツに対し、ネットワーク上の固有の第１のアドレスを割り当て、
前記ウェブサービスを利用するユーザを特定するためのＩＤを用いた認証処理が行われていない匿名の前記第２のクライアント端末による前記固有の第１のアドレスへのアクセスを許可し、
前記第２のクライアント端末に対する操作に応じて、前記固有の第１のアドレスが割り当てられた前記第１のコンテンツを編集し、
編集された前記第１のコンテンツの情報を、前記第２のクライアント端末に対応する第２のコンテンツの情報として、ストレージへ記憶し、
前記第２のコンテンツに対し、ネットワーク上の固有の第２のアドレスを生成する、
コンテンツデータ処理システム。
【手続補正２】
【補正対象書類名】明細書
【補正対象項目名】発明の名称
【補正方法】変更
【補正の内容】
【発明の名称】コンテンツデータ処理方法、ウェブサービスの提供方法、プログラム、サーバ装置及びコンテンツデータ処理システム
【手続補正３】
【補正対象書類名】明細書
【補正対象項目名】０００１
【補正方法】変更
【補正の内容】
【０００１】
本発明は、コンテンツデータ処理方法、ウェブサービスの提供方法、プログラム、サーバ装置及びコンテンツデータ処理システムに関する。
【手続補正４】
【補正対象書類名】明細書
【補正対象項目名】０００６
【補正方法】変更
【補正の内容】
【０００６】
本発明の一態様によれば、ウェブサービスを提供するサーバ装置と、前記サーバ装置とネットワークを介して接続する第１のクライアント端末及び第２のクライアント端末を備えるコンテンツデータ処理システムにより実行される方法であって、前記第１のクライアント端末に対する操作に応じて、第１のコンテンツを示す情報を生成することと、前記第１のコンテンツに対し、ネットワーク上の固有の第１のアドレスを割り当てることと、前記ウェブサービスを利用するユーザを特定するためのＩＤを用いた認証処理が行われていない匿名の前記第２のクライアント端末による前記固有の第１のアドレスへのアクセスを許可することと、前記第２のクライアント端末に対する操作に応じて、前記固有の第１のアドレスが割り当てられた前記第１のコンテンツを編集することと、編集された前記第１のコンテンツの情報を、前記第２のクライアント端末に対応する第２のコンテンツの情報として、ストレージへ記憶することと、前記第２のコンテンツに対し、ネットワーク上の固有の第２のアドレスを生成することとを含む。